(57)【要約】      （修正有）【課題】作業場所を限定されることなく、また水の供給量を常に調整しながら研磨作業を行なうことのできるハンドポリッシャーを提供する。【解決手段】回転ポリッシャー２と、加圧式ポンプ３と、加圧式ポンプ３からの水を回転ポリッシャー２へ供給するホース部材４と、を有し、回転ポリッシャー２は、使用者が把持するためのハンドル部２１と、先端に設けられた回転ブラシ２２と、ホース部材４から供給された水を回転ブラシ２２の回転中心に送り出す注水機構２３とを備え、加圧式ポンプ３は、水を蓄えるタンク部３１と、タンク部３１に蓄えられた水を送出するポンプ部３２とを備え、ホース部材４は、調節レバー４１を備え、供給する水の量を調整可能な、ハンドポリッシャー１を構成する。【選択図】図１
0003214657.tif 000002
【実用新案登録請求の範囲】
【請求項１】
壁面等を磨くためのハンドポリッシャーであって、
回転ポリッシャーと、
加圧式ポンプと、
前記加圧式ポンプからの水を前記回転ポリッシャーへ供給するホース部材と、
を有し、
前記回転ポリッシャーは、使用者が把持するためのハンドル部と、先端に設けられた回転ブラシと、前記ホース部材から供給された水を前記回転ブラシの回転中心に送り出す注水機構とを備え、
前記加圧式ポンプは、水を蓄えるタンク部と、タンク部に蓄えられた水を送出するポンプ部とを備え、
前記ホース部材は、調節レバーを備え、供給する水の量を調整可能である
ことを特徴とする、ハンドポリッシャー。
【請求項２】
前記加圧式ポンプは、バッテリーを備え、外部電源を不要としたことを特徴とする、
請求項１に記載のハンドポリッシャー。
【請求項３】
前記ホース部材を前記回転ポリッシャーと前記加圧式ポンプとに接続するためのジョイント部材を有することを特徴とする、
請求項１または２に記載のハンドポリッシャー。
【考案の詳細な説明】
【技術分野】
【０００１】
本考案は、壁面等を磨くためのハンドポリッシャーに関する。
【背景技術】
【０００２】
壁面等を磨くためのハンドポリッシャーは、先端に回転ブラシを有するものが知られている。
【０００３】
このようなハンドポリッシャーにおいて、壁面等を磨く際に水を供給することが求められ、回転ブラシの回転中心に水を供給することができる機構を備えたものも知られている。
【０００４】
しかしながら、そのようなハンドポリッシャーへの水の供給は、ハンドポリッシャーに接続されたホースを水道の蛇口につないで行なうのが通常であり、常に蛇口からホースの届く距離でしか研磨作業を行なうことができず、また水の供給量を常に調整しながら研磨作業を行なうことはできなかった。
【考案の概要】
【考案が解決しようとする課題】
【０００５】
本考案は、以上の点に鑑み、作業場所を限定されることなく、また水の供給量を常に調整しながら研磨作業を行なうことのできるハンドポリッシャーを提供することを課題とする。
【課題を解決するための手段】
【０００６】
上記課題は、本考案の構成によれば、回転ポリッシャーと、加圧式ポンプと、前記加圧式ポンプからの水を前記回転ポリッシャーへ供給するホース部材と、を有し、前記回転ポリッシャーは、使用者が把持するためのハンドル部と、先端に設けられた回転ブラシと、前記ホース部材から供給された水を前記回転ブラシの回転中心に送り出す注水機構とを備え、前記加圧式ポンプは、水を蓄えるタンク部と、タンク部に蓄えられた水を送出するポンプ部とを備え、前記ホース部材は、調節レバーを備え、供給する水の量を調整可能である、ハンドポリッシャーにより、達成される。
【０００７】
前記加圧式ポンプは、バッテリーを備え、外部電源を不要としたものであってもよい。
【０００８】
前記ハンドポリッシャーは、前記ホース部材を前記回転ポリッシャーと前記加圧式ポンプとに接続するためのジョイント部材を有するものであってもよい。
【考案の効果】
【０００９】
本考案によるハンドポリッシャーは、回転ポリッシャーが、ホース部材から供給された水を回転ブラシの回転中心に送り出す注水機構を備え、加圧式ポンプが、水を蓄えるタンク部と、タンク部に蓄えられた水を送出するポンプ部とを備え、ホース部材が、調節レバーを備え、供給する水の量を調整可能であることにより、作業場所を限定されることなく、また水の供給量を常に調整しながら研磨作業を行なうことができる。
【００１０】
また、本考案によるハンドポリッシャーは、バッテリーを備え、外部電源を不要としたことにより、電源ケーブルからも開放され、より広範囲を作業場所とすることができる。
【図面の簡単な説明】
【００１１】
【図１】本考案の実施例にかかるハンドポリッシャーを示す図である。
【図２】図１のハンドポリッシャーにおけるジョイント部材周辺を示す拡大図である。
【考案を実施するための形態】
【００１２】
図1は、本考案の実施例にかかるハンドポリッシャーを示している。図1に示すハンドポリッシャー１は、壁面等を磨くためのハンドポリッシャーであって、回転ポリッシャー２と、加圧式ポンプ３と、加圧式ポンプ３からの水を回転ポリッシャー２へ供給するホース部材４と、を有し、回転ポリッシャー２は、使用者が把持するためのハンドル部２１と、先端に設けられた回転ブラシ２２と、ホース部材４から供給された水を回転ブラシ２２の回転中心に送り出す注水機構２３とを備え、加圧式ポンプ３は、水を蓄えるタンク部３１と、タンク部３１に蓄えられた水を送出するポンプ部３２とを備え、ホース部材４は、調節レバー４１を備え、供給する水の量を調整可能である。
【００１３】
加圧式ポンプ３は、図示しないバッテリーを備え、外部電源を不要としている。また、加圧式ポンプ３は、図示しないベルトにより、背負うことができる。
【００１４】
ハンドポリッシャー１は、ホース部材４を回転ポリッシャー２と加圧式ポンプ３とに接続するためのジョイント部材５１，５２，５３を有する。
【００１５】
より詳細に説明する。加圧式ポンプ３は、タンク部３１の蓋３１ａを外してタンク部３１内に注水可能である。タンク部３１に蓄えられた水は、適宜ポンプ部３２により加圧されて送水口３２ａから送出される。なお、ポンプ部３２は図示しないバッテリーにより駆動する。
【００１６】
送出された水はホース部材４を通じて回転ポリッシャー２へ送られる。その際、調節レバー４１を経由しているため、使用者はこの調節レバー４１の開放度合いを握りにより調節することで、水の供給量を調節することができる。
【００１７】
ホース部材４はその先端にジョイント部材５１を有し、回転ポリッシャー２に接続されたジョイント部材５２，５３に、このジョイント部材５１が接続されることにより、ホース部材４が回転ポリッシャー２に接続される。
【００１８】
回転ポリッシャー２は、先端に、壁等を磨くための回転ブラシ２２を備え、この回転ブラシ２２の回転中心に水を送り出す注水機構２３を有する。この注水機構２３は、一端がジョイント部材５２に接続され、他端が回転ブラシ２２の回転中心に開いている水路構造である。回転ポリッシャー２は、電線２４を有し、これを家庭用電源等に繋ぐことで内蔵のモーターが回転し、回転ブラシ２２が回転する。この回転は図示しないスイッチ等で制御し得る。
【００１９】
以上のようなハンドポリッシャー１によれば、加圧式ポンプ３により送出された水がホース部材４を通じて回転ポリッシャー２に供給され、回転ブラシ２２の回転中心から出るので、壁面等を磨く際にブラシに水を容易に供給することができる。その際、調節レバー４１により送出量を調節できるので、好適に壁面等を磨くことができる。
【００２０】
なお、本考案はその趣旨を逸脱しない範囲において様々な形態で実施することができる。
例えば、回転ポリッシャー２はバッテリー式であってもよい。調節レバー４１は他の箇所に設けられていてもよい。ジョイント部材の形状や個数は本実施例の形態に限られない。
【符号の説明】
【００２１】
１  ハンドポリッシャー
２  回転ポリッシャー
３  加圧式ポンプ
４  ホース部材
２１  ハンドル部
２２  回転ブラシ
２３  注水機構
３１  タンク部
３２  ポンプ部
４１  調節レバー
５１，５２，５３  ジョイント部材 
【図１】
0003214657.tif 000003
【図２】
0003214657.tif 000004
【図３】
0003214657.tif 000005
【手続補正書】
【提出日】平成29年12月21日(2017.12.21)
【手続補正１】
【補正対象書類名】明細書
【補正対象項目名】００１１
【補正方法】変更
【補正の内容】
【００１１】
【図１】本考案の実施例にかかるハンドポリッシャーを示す図である。
【図２】図1のハンドポリッシャーにおけるホース部材のジョイント部材周辺を示す拡大図である。
【図３】図1のハンドポリッシャーにおけるホース部材ジョイント部材周辺を示す拡大図である。